(57)【要約】【課題】  防塵フィルタを有する情報処理装置において、ファンの低速化を可能とし、更なる静音化を可能にする情報処理装置を提供する。【解決手段】  発熱部品の温度を検出するための温度検知手段と、冷却用ファンと、防塵フィルタと、防塵フィルタを第１の位置または第２の位置に移動可能とする防塵フィルタ移動手段と、冷却用ファンの回転数および防塵フィルタ移動手段を制御するための制御手段とを有し、温度によって防塵フィルタを吸気口を開放する第２の位置に移動し、冷却用ファンの回転数を低速化して静音化を可能とする。【選択図】  図１
2007115020.tif 000002
【特許請求の範囲】
【請求項１】
吸気口を有する筐体と、
前記筐体内部の発熱部品の周囲の温度を検出する温度検知手段と、
前記発熱部品を空冷するために前記筐体内部に外気を取り込む冷却用ファンと、
前記冷却用ファンによって取り込まれる外気に含まれる塵埃が前記筐体内部に入ることを防止する防塵フィルタと、
前記防塵フィルタを前記吸気口を閉塞する第１の位置と前記吸気口を開放する第２の位置の一方に選択的に移動させる移動手段と、
前記温度検知手段からの信号によって前記冷却用ファンの回転数および前記移動手段を制御する制御手段とを
有することを特徴とする情報処理装置。
【請求項２】
前記制御手段は、前記発熱部品の周囲の温度が予め設定された第１の温度より低いとき、前記防塵フィルタを前記第２の位置に移動させることを特徴とする請求項１記載の情報処理装置。
【請求項３】
前記制御手段は、前記発熱部品の周囲の温度が前記第１の温度より高く高温のために前記情報処理装置の動作に支障を来たす恐れがある予め設定された第２の温度より高い状態が所定時間継続したとき、前記防塵フィルタを第２の位置に移動させること特徴とする請求項２記載の情報処理装置。
【請求項４】
前記発熱部品の周囲の温度が前記第１の温度より高く高温のために前記情報処理装置の動作に支障を来たす恐れがある予め設定された第２の温度より高い状態が所定時間継続したとき、前記発熱部品の周囲の温度が前記第２の温度より高いことをユーザに通知する異常通知手段を有することを特徴とする請求項２記載の情報処理装置。
【請求項５】
前記制御手段は、前記発熱部品の周囲の温度が高温のために前記情報処理装置の動作に支障を来たす恐れがある温度より高い状態が所定時間継続したとき、前記防塵フィルタを第２の位置に移動させることを特徴とする請求項１記載の情報処理装置。
【請求項６】
前記発熱部品の周囲の温度が高温のために前記情報処理装置の動作に支障を来たす恐れがある温度より高い状態が所定時間継続したとき、前記発熱部品の周囲の温度が高温のために前記情報処理装置の動作に支障を来たす恐れがある温度より高いことをユーザに通知する異常通知手段を有することを特徴とする請求項１記載の情報処理装置。
【請求項７】
前記防塵フィルタを前記第１の位置と前記第２の位置との間を移動させる際に前記防塵フィルタの表面に付着した塵埃を除去する塵埃除去手段を有することを特徴とする請求項１乃至請求項６記載の情報処理装置。
【発明の詳細な説明】
【技術分野】
【０００１】
本発明は、防塵フィルタを有する情報処理装置の改良に関する。
【背景技術】
【０００２】
ＰＣ（Personal Computer）などの情報処理装置に搭載されるＣＰＵ（Central Processing Unit）等の演算処理ユニットの高性能化に伴い、内部の部品の発熱量も増大する傾向にあるが、情報処理装置を安定に動作させるためには、内部の発熱部品を冷却するための冷却装置が必要となっている。
【０００３】
冷却方式は種々あるが、情報処理装置内に外気を取り込んで空冷する方式が多く採用されており、１個あるいは複数の冷却用のファンが用いられている。冷却能力を大きくするには取り込む空気の量を増大させるためにファンを大きくしたり、個数を増やしたり、ファンの回転数を増大させる方法が取られているが、ファンを大きくしたり、個数を増やすことは設置スペースを多く必要とし、また回転数を増大させることは、風きり音や振動による騒音の問題を発生させる。
【０００４】
騒音をできるだけ小さくするために、ファンの回転数をできるだけ小さくすることが望まれるが、例えば温度センサを用いて内部の温度を監視し、温度状態に見合う最低回転数でファンを回転する制御方法が取られている。
【０００５】
一方、ファンを回転させることによって、外気を強制的に情報処理装置内に取り込む際、外気中に含まれる塵埃が同時に装置内部に入り込むことになり、この塵埃が装置内部の部品に付着したりして、誤動作や故障の原因になったりする可能性がある。このためファンを用いる情報処理装置の多くは吸気口に防塵フィルタを取り付けている。しかしながら防塵フィルタは空気の流れに対して抵抗として働くため、防塵フィルタを用いる場合はファンの能力を増大させなければならない。
【０００６】
一般のユーザが家庭で使用したり、静寂なオフィスで使用したりするＰＣ等の情報処理装置は静音性が要求されている。静音性を追求したＰＣ等の情報処理装置は、冷却用ファンの回転制御を行い、システム負荷が軽く内部の温度が低ければファンを低速で動作させて、ファンによる騒音を小さくしている。しかしながら防塵フィルタがある場合にはファンの能力を増大させなければならず、ファンの低速化が容易ではなく、更なる静音化の支障になっている。
【０００７】
また防塵フィルタに塵埃が付着し、堆積していくと徐々に目詰まりを起こす。目詰まりを起こすと空気の流れに対する抵抗が大きくなり、外気が取り込まれ難くなって冷却能力が低下するために、ファンの回転数を増大させなければならず、そのために騒音が増大する。更にユーザが防塵フィルタの清掃を怠るなどして、冷却能力が低下した状態が続くと、発熱部品や情報処理装置の内部の温度が上昇して性能低下や誤動作を引き起こすし、延いては誤動作や故障する可能性がある。
【０００８】
防塵フィルタの塵埃付着による比較的短い時間での目詰まりを避ける目的で、装置内部の温度を監視し、装置内部の温度が高い場合には外気を取り込んで冷却し、装置内部の温度が低い場合には外気を取り込むことを止め、空気を内部循環させることによって冷却する方法も考えられている。（特許文献１）。
【特許文献１】特開２００５−１３４８４９号公報
【発明の開示】
【発明が解決しようとする課題】
【０００９】
情報処理装置の吸気口に防塵フィルタを設ける場合には冷却用のファンの能力を増大させなければならず、ファンの低速化が容易ではなく、更なる静音化の支障になっている。
【００１０】
本発明は上記問題点を解決するためになされたもので、ファンの低速化を可能とし、更なる静音化を可能にする情報処理装置を提供することを目的とする。
【課題を解決するための手段】
【００１１】
上記目的を達成するために、本発明の情報処理装置は、吸気口を有する筐体と、前記筐体内部の発熱部品の周囲の温度を検出する温度検知手段と、前記発熱部品を空冷するために前記筐体内部に外気を取り込む冷却用ファンと、前記冷却用ファンによって取り込まれる外気に含まれる塵埃が前記筐体内部に入ることを防止する防塵フィルタと、前記防塵フィルタを前記吸気口を閉塞する第１の位置と前記吸気口を開放する第２の位置の一方に選択的に移動させる移動手段と、前記温度検知手段からの信号によって前記冷却用ファンの回転数および前記移動手段を制御する制御手段とを有することを特徴とする。
【発明の効果】
【００１２】
本発明によれば、防塵フィルタを移動可能とし、内部の発熱部品の温度が低い場合に、防塵フィルタを吸気口を閉塞しない位置へ移動させ、外気を取り込み易くすることによって、更にファンの回転数を減少することができ、静音化することができる。
【発明を実施するための最良の形態】
【００１３】
以下本発明の実施例の形態による情報処理装置について図を参照しながら説明する。
【実施例１】
【００１４】
本発明による情報処理装置の実施例１を図１乃至図８を参照して説明する。図１は本発明の実施例１の形態における情報処理装置の構成を示す概要図である。情報処理装置１は、筐体２、制御手段３、発熱部品４、温度検知手段５、冷却用ファン６、吸気口７、排気口８、防塵フィルタ９、防塵フィルタ移動手段１０、異常通知手段１１、表示部１２、スピーカ１３、操作部１４等より構成されている。筐体２内には情報処理装置１を構成する他の部品である主基板、メモリモジュール、光ディスクドライブやメモリカード記録再生装置等のストレージユニットが配置されているが、図１では省略されている。
【００１５】
制御手段３は、主基板上または別の基板上に配置され、温度検知手段５からの信号に基づいて冷却用ファン６の回転数を制御したり、防塵フィルタ移動手段１０を制御する制御手段である。
【００１６】
発熱部品４は、電源、ＣＰＵ等の演算処理ユニット、ＨＤＤ等のストレージユニットである。特に演算処理ユニットの発熱量が大きく、少なくとも演算処理ユニットを冷却する対象とする。
【００１７】
温度検知手段５は発熱部品４の周囲の温度を検知するための手段であり、1個あるいは複数の温度センサより構成されており、発熱部品４に接触したり、または近傍に配置されて発熱部品４の周囲の温度を検出しその信号を制御部３に出力している。
【００１８】
冷却用ファン６は筐体２の一部に設けられた外気を取り込むための吸気口７の内側に配置されている。なお、冷却用ファン６は吸気口７の付近に配置された1個あるいは複数の吸気用のファンあるいは排気口８の付近に配置された1個あるいは複数の排気用のファンにより構成されていてもよい。冷却用ファン６は制御部３によって回転数を制御されている。
【００１９】
防塵フィルタ９は吸気口７近傍で吸気用の冷却用ファン６の外側或いは内側に配置され、外気に含まれる塵埃が筐体の内部に入ることを防止する。防塵フィルタ９は情報処理装置１の塵埃環境が悪かったり、また冷却用ファン６が高速回転を継続する場合など、塵埃が取り込まれ易い状況において特に必要となる。逆に塵埃環境が特に良かったり、塵埃環境が比較的良く冷却用ファン６が低速で回転している場合のような、塵埃が筐体２内に取り込まれ難い状況においては必要性はあまりない。
【００２０】
防塵フィルタ移動手段１０は、防塵フィルタ９を、外気に含まれる塵埃が内部に入ることを防止するために吸気口７を塞ぐように配置された第１の位置または吸気口を開放するように配置された第２の位置に選択的に移動する移動手段である。第１の位置とは、防塵フィルタ９が吸気口近傍にあって、吸気口７を閉塞するように配置され、それによって外気に含まれる塵埃が筐体２内に侵入するのを防止するための位置である。第２の位置とは、防塵フィルタ９が吸気口７を閉塞する位置から離れ、吸気口７を開放し、外気を取り込み易くする位置である。防塵フィルタ移動手段１０は、制御部３によって制御され、防塵フィルタ９を前記した第1の位置または第２の位置に選択的に移動する。
【００２１】
異常通知手段１１は、発熱部品４の周囲の温度が、高温のために前記情報処理装置の動作に支障を来たす恐れのある温度より高い状態が、所定時間継続したとき、発熱部品４の周囲の温度が前記温度より高くなったことをユーザに通知する手段である。ユーザはそれによって情報処理装置１の異常な温度上昇を知ることができる。
【００２２】
異常通知手段１１は、制御部３、温度検知手段５、表示部１２、スピーカ１３によって構成される。制御手段３は、前記のような異常が発生した場合には、表示部１２に異常内容を表示させて、ユーザに異常を視覚的に通知する。表示部はＬＣＤディスプレイ等で構成されている。また、制御手段３は、前記のような異常が発生した場合には、スピーカ１３に警報音を発生させて、ユーザに異常を聴覚的に通知する。
【００２３】
操作部１４は情報処理装置１の動作の設定や異常発生時の対応を行うためのスイッチやＬＥＤインジケータから構成されている。
【００２４】
図２は本発明の実施例１の形態における情報処理装置の構成を示すブロック図である。制御手段３は、温度検知手段５からの信号を受けて冷却用ファン６の回転数を制御したり、防塵フィルタ移動手段１０を制御する。制御手段３は、発熱部品４の周囲の温度と冷却用ファン６の回転数の関係を設定したテーブルを保持しており、発熱部品４の周囲の温度を監視しながら冷却用ファン６の回転数を制御する。
【００２５】
制御手段３は、発熱部品４の周囲の温度を監視し冷却用ファン６の回転数を制御しながら、防塵フィルタ移動手段１０を制御する。制御手段３は、防塵フィルタ１０が第１の位置にあるかを検知する第１位置検知センサ２５（図３参照）と第２の位置にあるかを検知する第２位置検知センサ２６（図３参照）の検出信号を監視し、更に温度検知手段５から得られた信号を監視することによって、モータ２３（図３参照）を制御し、防塵フィルタ９を吸気口７を閉塞する第１の位置と吸気口７を開放する第２の位置の一方に選択的に移動させる。
【００２６】
また制御手段３は、発熱部品４の周囲の温度が、高温のために前記情報処理装置１の動作に支障を来たす恐れのある温度より高い状態が、所定時間継続したとき、発熱部品４の周囲の温度が前記温度より高くなったことを異常通知手段１１に出力し、表示部１２に異常情報を表示させたり、スピーカ１３から警報音を発せさせる。
【００２７】
図３および図４は情報処理装置の概略構造と防塵フィルタ移動手段１０の概要構成を示す図である。ＰＣ等の情報処理装置１の筐体２は概略直方体である場合が多い。図３は情報処理装置１の筐体２を上から見た平面図である。図４は情報処理装置１の筐体２を前から見た正面図である。
【００２８】
正面１５には吸気口７が設けられ、背面には排気口８が設けられている。発熱部品４は、吸気口７から排気口８に向う空気の流路の中で、空気が良く当たり冷却され易い場所に設置されている。温度検知手段５が発熱部品４の周囲の温度を検出するために、発熱部品４の近傍に配置されている。
【００２９】
防塵フィルタ移動手段１０は筐体２内部の正面１５近傍付近に設けられている。防塵フィルタ移動手段１０は、スライド部品１６、モータ２３、第１位置検知センサ２５、第２位置検知センサ２６で構成されている。吸気口７の直ぐ内側にスライド部品１６に装着された防塵フィルタ９がある。防塵フィルタ９の直ぐ内側に吸気用の冷却用ファン６が配置されている。
【００３０】
防塵フィルタ移動手段１０は、筐体２の正面１５近傍である必要はなく、背面、左右側面、上面、底面であってもよい。但し、底面の場合は床との隙間を必要とするため筐体２の底面に床との隙間を作るための足が必要となる。またノートブック型のＰＣの場合は上面に相当する部分が開閉式の表示装置であるため、上面に装着するのは難しい。
【００３１】
スライド部品１６は、防塵フィルタ９を保持し、防塵フィルタ９を第１の位置と第２の位置の間を移動するための部品である。モータ２３はスライド部品１６を駆動するための動力を発生する。第１位置検知センサ２５は、スライド部品１６が移動して防塵フィルタ９が第１の位置に在ることを検知するためのセンサである。第２位置検知センサ２６は、スライド部品１６が移動して防塵フィルタが第２の位置に到達したことを検知するためのセンサである。制御手段３は第１位置検知センサ２５と第２位置検知センサ２６の検出信号を監視し、更に温度検知手段５から得られた信号を監視することによって、モータ２３を制御し、スライド部品１６を適宜移動する。
【００３２】
図５および図６は防塵フィルタ移動手段１０の詳細構成および防塵フィルタ９が第１の位置にある状態を示す図である。図５は防塵フィルタ移動手段１０を上から見た断面ＡＡ（ＡＡの位置は図６に表示する）の断面図であり、図６は防塵フィルタ移動手段１０を正面１５側から見た断面ＢＢ（ＢＢの位置は図５に表示する）の断面図である。
【００３３】
防塵フィルタ９の形状は概略直方体である。スライド部品１６の一部に防塵フィルタ９の外形とほぼ同寸法の窓部１７が設けられている。スライド部品１６の窓部１７の装置内部側（ファン側）には突起１８が設けられている。防塵フィルタ９は窓部１７に嵌め込まれるようにして装着され、防塵フィルタ９が突起１８に接して位置決めされている。筐体２の正面１５の内側には、ガイド部２１が設けられている。スライド部品１６はガイド部２１の中を滑りながら移動できるようになっている。スライド部品１６がガイド部２１から飛び出さないように上側カバー１９と下側カバー２０が設けられている。
【００３４】
スライド部品１６の一部にはラック部２２が設けられている。小型のモータ２３にはギア２４が取り付けられており、ギア２４とラック部２２が噛み合うようにモータ２３が配置されている。モータ２３は小型のＤＣモータ、ステッピングモータ等である。モータ２３が回転することによってスライド部品１６がガイド部２１内を移動し、スライド部品１６が移動することによって防塵フィルタ９が移動する。
【００３５】
上記駆動方法はラックとギアの組み合わせとしたが、プーリとワイヤを用いてもよい。その場合には駆動原であるモータにプーリを組み合わせ、スライド部品１６にワイヤを接続してスライド部品を移動できるようにしてもよい。
【００３６】
図５および図６は防塵フィルタ９が第１の位置にある状態を示している。即ち防塵フィルタ９が外気に含まれる塵埃が内部に入ることを防止するために吸気口７を閉塞するように配置された位置である。このとき第１位置検知センサ２５はスライド部品１６の端部を検知しており、制御部３は防塵フィルタ９が第１の位置にあることを認識している。防塵フィルタ９が第１の位置あるとき、吸気口７と冷却用ファン６の間に防塵フィルタ９が存在するため、吸気口７から取り込まれた空気は防塵フィルタ９を通過する。空気に含まれる塵埃は防塵フィルタによって装置内部に入り難くなっている。
【００３７】
図７および図８は防塵フィルタ移動手段１０の詳細構成および防塵フィルタ９が第２の位置にある状態を示す図である。図７は防塵フィルタ移動手段１０を上から見た断面ＡＡ（ＡＡの位置は図８に表示する）の断面図であり、図８は防塵フィルタ移動手段１０を正面１５側から見た断面ＢＢ（ＢＢの位置は図７に表示する）の断面図である。
【００３８】
防塵フィルタ９は、吸気口７を閉塞する位置から離れ、吸気口７を開放する位置に存在する。防塵フィルタ９が第２の位置にあるとき、吸気口７と冷却用ファン６の間には防塵フィルタ９が存在せず、空気が装置内部に取り込まれ易い状態となっている。同じ量の外気を取り込む場合に、防塵フィルタ９が第１の位置にあるときに比べて、冷却用ファン６の回転数を減少させることができ、結果として騒音を減少させることができる。
【００３９】
防塵フィルタ９が第１の位置から第２の位置に移動する際、スライド部品１６は正面１５の内側のガイド部２１の中で正面１５と平行な面に沿って移動し、このとき防塵フィルタ９も正面１５と平行な面に沿って移動する。
【００４０】
図９は冷却用ファン６の回転数制御および防塵フィルタ移動制御を示すフローチャートである。冷却用ファン６の回転数制御および防塵フィルタ９の移動制御は制御手段３によって行われる。情報処理装置１の電源スイッチが入り稼動状態になった直後から、制御手段３は冷却用ファン６の回転数制御および防塵フィルタ移動制御を開始する。後述するように情報処理装置１の電源スイッチが切られたとき、制御手段３は防塵フィルタ９を第１の位置へ移動する。従ってその後で情報処理装置の電源スイッチが入れられたときには、防塵フィルタ９は第１の位置にある。
【００４１】
また制御手段３は、発熱部品４の周囲の温度と冷却用ファン６の回転数の関係を設定したテーブルを保持しており、発熱部品４の周囲の温度を監視しながら冷却用ファン６の回転数を制御する。
【００４２】
最初にステップＳ１１において、制御手段３が、温度検知手段５によって検出された発熱部品４の周囲の温度に信号を取り込み、予め設定された第１の温度と比較し判定する（温度比較ステップ）。第１の温度は、発熱部品４の周囲の温度が十分に低い温度で、情報処理装置１が稼動している状態で、例えばＣＰＵ等の演算処理ユニットの表面温度の場合で例えば約５５℃のような温度である。ステップＳ１１にて、制御手段３が、発熱部品４の周囲の温度が予め設定された第１の温度より低いと判定した場合は、ステップＳ１２に移る。
【００４３】
ステップＳ１２にて制御手段３は、冷却用ファン６の回転数を第１の回転数に設定する。発熱部品４の周囲の温度が第１の温度より低いような場合には、冷却能力は高い必要はなく、冷却用ファン６の回転数を第１の回転数であるところの例えば８００〜１２００ｒｐｍにすることが可能である。
【００４４】
ステップＳ１３にて制御手段３は、発熱部品４の周囲の温度と予め設定された第１の温度を比較する。発熱部品４の周囲の温度が予め設定された第１の温度より低いと判定された場合は、ステップＳ１４に移る。
【００４５】
ステップＳ１４にて制御手段３は、ステップＳ１２から所定時間が経過したかを判定する。所定時間とは例えば２０〜３０秒程度である。ステップＳ１５において冷却用ファン６の回転数を更に第２の回転数まで下げるが、第１の回転数に設定（ステップＳ１２）した後で連続的に第２の回転数へ変更すると冷却用ファン６が発生する周波数も変化する。騒音の周波数が変化すると小さな騒音であっても人間は耳障りに感じる。このため連続的なファンの回転数変化を避けた方が良く、ある程度の時間間隔があった方がよい。また第１の回転数に設定したことによって温度が徐々に上がる可能性があり、ステップＳ１５に移るにはある程度の時間間隔が必要であり、所定時間を２０〜３０秒程度に設定している。ステップＳ１４にて制御手段３が、所定時間が経過したと判定したならば、ステップＳ１５へ進む。ステップＳ１４にて制御手段３が、所定時間が経過していないと判定したならば、ステップＳ１３に戻る。
【００４６】
ステップＳ１５にて制御手段は、冷却用ファン６の回転数を第２の回転数に設定する。第２の回転数は極めて低速な例えば５００〜６００ｒｐｍの回転数であり、冷却用ファン６による騒音は殆ど発生しない。
【００４７】
そして防塵フィルタ移動ステップであるステップＳ１６に移って、制御手段３は、防塵フィルタ９を第２の位置へ移動させる。冷却用ファン６が第２の回転数で回転している場合には、外気の取り込み量が少なくなり、塵埃が取り込まれることも殆どなく、防塵フィルタが必要ない。防塵フィルタを外気の取り込み経路から外すことにより、外気が取り込み易くなり、冷却用ファン６の回転数を第２の回転数まで減少させることができる。
【００４８】
ステップＳ１７にて制御手段３は、発熱部品４の周囲の温度と予め設定された第１の温度を比較する。発熱部品４の周囲の温度が予め設定された第１の温度より低い場合は、その状態を維持する。その状態では冷却用ファン６による騒音は殆ど発生せず、静音環境を維持しながら情報処理装置１を稼動できる。
【００４９】
演算処理ユニット等の動作が増大して、発熱部品４の周囲の温度が予め設定された第１の温度より高くなった場合は、ステップＳ１８に移る。ステップＳ１８にて制御手段３は、防塵フィルタ９を第１の位置へ移動させ、ステップＳ１２へ移る。
【００５０】
ステップＳ１１やステップＳ１３にて制御手段３が、発熱部品４の周囲の温度が予め設定された第１の温度より高いと判定した場合は、ステップＳ１９に移る。
【００５１】
ステップＳ１９において制御手段３は、冷却用ファン６の回転数を第３の回転数に設定する。第３の回転数は例えば１５００〜２５００ｒｐｍの回転数であり、発熱部品４の周囲の温度上昇の状態によって、発熱部品４の周囲の温度と冷却用ファン６の回転数の関係を設定したテーブルに従って、制御手段３が回転数を制御する。
【００５２】
ステップＳ２０にて制御手段３は、発熱部品４の周囲の温度と予め設定された第２の温度を比較する。第２の温度は、高温のために情報処理装置１の動作に支障を来たす恐れのある温度であり、例えばＣＰＵ等の演算処理ユニットの表面温度の場合で例えば７０〜８０℃のような温度である。制御手段３が、発熱部品４の温度が予め設定された第２の温度より高いと判定した場合は、ステップＳ２１に移る。
【００５３】
ステップＳ２１において制御手段３は、冷却を促進させるために、冷却用ファン６の回転数を最大回転数（例えば３０００ｒｐｍ）に設定する。
【００５４】
ステップＳ２２にて制御手段３は、発熱部品４の周囲の温度と予め設定された第２の温度を比較する。発熱部品４の周囲の温度が予め設定された第２の温度より高いと判定された場合は、ステップＳ２３に移る。
【００５５】
ステップＳ２３にて制御手段３は、ステップＳ２１から所定時間が経過したかを判定する。所定時間とは例えば５〜１０秒程度である。冷却を促進させるために、冷却用ファン６の回転数を最大回転数に設定した後の冷却状態を監視する時間である。ステップＳ２３にて制御手段３が、所定時間が経過したと判定したならば、ステップＳ２４へ進む。ステップ２３にて制御手段３が、所定時間が経過していないと判定したならば、ステップＳ２２に戻る。
【００５６】
ステップＳ２４において制御手段３は、防塵フィルタ９を第２の位置へ移動させる。これは異常な温度上昇を防止するために、外気を取り込み易くして冷却効果を更に促進するためである。
【００５７】
そしてステップＳ２５において異常通知手段１１によって、表示部１２に異常内容を表示させたり、スピーカ１３に警報音を発生させたりして、ユーザに異常を通知する。
【００５８】
ステップ２０やステップ２２にて制御手段３が、発熱部品４の周囲の温度が予め設定された第２の温度より低いと判定した場合はステップＳ１１へ移る。
【００５９】
なお、情報処理装置１の置かれている塵埃環境が悪い場合には、防塵フィルタ９を第２の位置に移動させると、回転数が小さい場合であっても塵埃が多量に情報処理装置１の内部に入り込む可能性がある。このような場合、ステップ１３において制御手段３が、発熱部品４の周囲の温度が予め設定された第１の温度より低いと判定した場合であっても、ステップＳ１４に移らずに破線で示すようにステップＳ１３に戻るモードをユーザが選択できるようになっている。
【００６０】
情報処理装置１の電源スイッチが切られたとき、制御手段３は防塵フィルタ９が第１の位置にあるか第２の位置にあるかを第１位置検知センサ２５および第２位置検知センサ２６からの信号と過去の動作履歴も加味して判定し、防塵フィルタ９が第１の位置にない場合は、第１の位置へ移動させる。従って電源が切られた後は、防塵フィルタは吸気口を閉塞する位置にある。このようにすることによって、次に電源スイッチが入れられた直後の初期状態においては、常に防塵フィルタは第１の位置、つまり吸気口を閉塞する位置に置かれている。
【００６１】
以上本実施例においては、発熱部品４の温度が低い状態のときには、冷却用ファン６の回転数を低速な第２の回転数に設定し（例えば５００〜６００ｒｐｍ）、防塵フィルタ９を第１の位置から第２の位置へ移動することによって吸気口を開放し、第２の回転数を維持しながら、冷却用ファン６による騒音が殆ど発生しない静音状態で情報処理装置１を稼動させることができる。
【００６２】
また、予め設定された第２の温度、つまり高温のために前記情報処理装置の動作に支障を来たす恐れがある温度を超えるような高温状態が検出され、冷却用ファンを高速回転させた後でも高温状態が所定時間経過しても解消されない場合には、防塵フィルタ９を第１の位置から第２の位置に移動して、冷却効果を高めることができる。また、略同時に表示部１２に異常情報を表示したり、スピーカ１３から警報音を発することによって、ユーザに異常を通知する。ユーザはそれによって情報処理装置１の異常な温度上昇を知ることができる。
【００６３】
本発明の実施例においては以上の構成に限定されるもではなく種々の変形が可能である。
【実施例２】
【００６４】
本発明による情報処理装置の実施例２を図９乃至図１４を参照して説明する。図１０および図１１は本発明の実施例２に係る情報処理装置の概略構造と塵埃除去手段の一例を示す図である。図１０は情報処理装置１の筐体２を上から見た平面図であり、図１１は情報処理装置１の筐体２を前から見た正面図である。
【００６５】
本実施例においては、塵埃除去手段２７は図３乃至図８で説明した防塵フィルタ移動手段１０と同様の構成と組み合わされて塵埃除去の機能を果たすので、共通部分の説明は省略する。
【００６６】
塵埃除去手段１１は塵埃除去ローラ２９と回転軸３０により構成される。筐体２の正面１５の吸気口７の近傍に窓部２８があり、窓部２８の中に円筒形状をした塵埃除去ローラ２９がある。塵埃除去ローラ２９は回転軸３０を中心として回転可能となっている。塵埃除去ローラ２９の表面は粘着性がある。防塵フィルタ９が第１の位置と第２の位置を移動するときに、防塵フィルタ９の表面と塵埃除去ローラ２９の表面が接触し、防塵フィルタ９の表面に付着した塵埃が塵埃除去ローラ２９の表面に付着することによって、防塵フィルタ９の表面に付着した塵埃が取り除かれる。
【００６７】
図１２および図１３は塵埃除去手段２７の詳細構成および防塵フィルタ９が第１の位置にある状態を示す図である。図１２は塵埃除去手段２７を上から見た断面ＡＡ（ＡＡの位置は図１３に表示する）の断面図であり、図１３は塵埃除去手段２７を正面１５側から見た図である。
【００６８】
塵埃除去ローラ２９は円筒形状をしており、中心に円筒形状の中空穴があって、その中空穴に回転軸３０が挿入されている。塵埃除去ローラ２９は回転軸３０を回転中心として回転できるようになっている。回転軸３０は細い円柱状の棒軸であり、その両端が窓部２８の上下にある子穴に嵌合して外側に飛び出さないようになっている。
【００６９】
塵埃除去ローラ２９の表面は粘着性があり、円筒形状の長手方向の長さは防塵フィルタ９の上下方向の長さより少し長く設定されており、防塵フィルタ９の表面全体が塵埃除去ローラ２９の円筒面と接触するようになっている。
【００７０】
図１４および図１５は塵埃除去手段２７の詳細構成および防塵フィルタ９が第２の位置にある状態を示す図である。図１４は塵埃除去手段２７を上から見た断面ＡＡ（ＡＡの位置は図１５に表示する）の断面図であり、図１５は塵埃除去手段２７を正面１５側から見た図である。スライド部品１６が移動することによって、防塵フィルタ９が第１の位置から第２の位置に移動する際、それらに接触している塵埃除去ローラ２９が回転し、防塵フィルタ９の表面全体が塵埃除去ローラ２９の表面と接触する。そうすることによって、防塵フィルタ９の表面に付着した塵埃が塵埃除去ローラ２９の表面に付着し、防塵フィルタ９の表面が清掃される。
【００７１】
以上本実施例においては、防塵フィルタ９が第１の位置と第２の位置の間を移動するときに、防塵フィルタ９の表面に付着した塵埃を除去することができ、防塵フィルタの目詰まりを低減することができる。
【００７２】
本発明の実施例においては以上の構成に限定されるもではなく種々の変形が可能である。
【図面の簡単な説明】
【００７３】
【図１】本発明の実施例１の形態における情報処理装置の構成を示す概要図。
【図２】本発明の実施例１の形態における情報処理装置の構成を示すブロック図。
【図３】情報処理装置の概略構造と防塵フィルタ移動手段の概要構成を上から見た平面図。
【図４】情報処理装置の概略構造と防塵フィルタ移動手段の概要構成を前から見た正面図。
【図５】防塵フィルタ移動手段の詳細構成および防塵フィルタが第１の位置にある状態を上から見た断面図。
【図６】防塵フィルタ移動手段の詳細構成および防塵フィルタが第１の位置にある状態を正面から見た断面図。
【図７】防塵フィルタ移動手段の詳細構成および防塵フィルタが第２の位置にある状態を上から見た断面図。
【図８】防塵フィルタ移動手段の詳細構成および防塵フィルタが第２の位置にある状態を正面から見た断面図。
【図９】ファンの回転数及び防塵フィルタ移動手段の動作の制御を示すフローチャート。
【図１０】本発明の実施例２に係る情報処理装置の概略構造と塵埃除去手段の一例を上から見た平面図。
【図１１】本発明の実施例２に係る情報処理装置の概略構造と塵埃除去手段の一例を前から見た正面図。
【図１２】塵埃除去手段の詳細構成および防塵フィルタが第１の位置にある状態を上から見た断面図。
【図１３】塵埃除去手段の詳細構成および防塵フィルタが第１の位置にある状態を正面から見た図。
【図１４】塵埃除去手段の詳細構成および防塵フィルタが第２の位置にある状態を上から見た断面図。
【図１５】塵埃除去手段の詳細構成および防塵フィルタが第２の位置にある状態を正面から見た図。
【符号の説明】
【００７４】
１  情報処理装置
２  筐体
３  制御手段
４  発熱部品
５  温度検知手段
６  冷却用ファン
７  吸気口
８  排気口
９  防塵フィルタ
１０  防塵フィルタ移動手段
１１  異常通知手段
１２  表示部
１６  スライド部品
２３  モータ
２７  塵埃除去手段
２９  塵埃除去ローラ
【図１】
2007115020.tif 000003
【図２】
2007115020.tif 000004
【図３】
2007115020.tif 000005
【図４】
2007115020.tif 000006
【図５】
2007115020.tif 000007
【図６】
2007115020.tif 000008
【図７】
2007115020.tif 000009
【図８】
2007115020.tif 000010
【図９】
2007115020.tif 000011
【図１０】
2007115020.tif 000012
【図１１】
2007115020.tif 000013
【図１２】
2007115020.tif 000014
【図１３】
2007115020.tif 000015
【図１４】
2007115020.tif 000016
【図１５】
2007115020.tif 000017